(57)【特許請求の範囲】
【請求項１】
ロール紙収納部から繰り出された用紙を搬送ローラにより発券処理部に送り込み、切断および印刷を行って、券として発行する発券装置において、
複数のロール紙収納部と、
各ロール紙収納部と前記搬送ローラとの間にそれぞれ設けられた用紙送出路と、
各ロール紙収納部から前記搬送ローラに向けて用紙を送り出すために、各用紙送出路に設けられた送出ローラと、
各送出ローラに用紙を押圧した押圧位置と各送出ローラから退避した退避位置とを選択できるように、各用紙送出路に設けられたピンチローラと、
前記送出ローラより下流側の各用紙送出路上に設けられ、各用紙送出路を閉じて用紙の通過を規制する規制位置と各用紙送出路を開けて用紙の通過を可能にする開放位置とを選択可能なストッパと、
前記ストッパより下流側の各用紙送出路上に設けられた頭出しセンサと、
各用紙送出路上に設けられ各用紙送出路の用紙切れを検出する用紙切れセンサと、
前記ロール紙収納部への新たなロール紙の装填が検出されると、自動的に該当する用紙送出路上の前記ピンチローラが押圧位置に移動し、該当する用紙送出路上の前記ストッパが開放位置に移動している状態にて、該当する用紙送出路上の前記送出ローラを駆動して、該当する用紙送出路上の前記頭出しセンサが少なくとも用紙先端を検出する位置まで、用紙を送り出すロ−ディング手段と、
各用紙送出路上に設けた前記用紙切れセンサから各用紙送出路の状態を把握し、使用中の用紙送出路での用紙切れを検出すると、使用する用紙送出路を用紙切れ状態にない用紙送出路に切り替え、ここから、前記搬送ローラに用紙を送り込ませる送出路切り替え手段と、
前記ストッパと前記送出ローラとの間の各用紙送出路上に設けられた先端通過センサと、
各ロール紙収納部の蓋の開閉を検出するために各ロール紙収納部に設けられた開閉センサとを有し、
用紙切れ状態のロール紙収納部へのロール紙の装填の検出は、前記開閉センサが蓋の閉状態移行を検出し、前記先端通過センサが用紙の挿入を検出したことにより行うことを特徴とする発券装置。
【請求項２】
各用紙送出路に、中間部を中心に回転可能なレバーを並設し、該レバーの一端側に前記ストッパを設け、他端側に前記ピンチローラを回転可能に設けたことを特徴とする請求項１の何れかに記載の発券装置。
【発明の詳細な説明】
【０００１】
【発明の属する技術分野】
本発明は、ロール紙収納部から繰り出された用紙を搬送ローラにより発券処理部に送り込み、切断および印刷を行って、券として発行する発券装置に関する。
【０００２】
この主の発券機としては、現在、種々のものが用いられている。たとえば、競馬・競輪・競艇・オートレース等の公営競技で使用される投票券を発行する投票券発売機がある。この投票券発売機内の発券処理部には、用紙を切断するカッタや、投票券を印刷するための印刷部が設けられており、投票券を要求枚数分だけ印刷し、客側へ放出する機能を持っている。
【０００３】
【従来の技術】
投票券発売機を例にとると、従来の投票券発売機の多くは、投票券の元となるロール紙（ロール状に巻かれた用紙）をロール紙収納部に１巻だけ装填するように構成されている。そして、このロール紙収納部から繰り出した用紙が、搬送ローラでもって発券処理部に送り込まれ、この発券処理部にて、用紙の切断および印刷が行われ、投票券として投票券排出口から排出される。
【０００４】
このため、一巻分のロール紙を使い切ってしまった際には、装置の稼働を停止して、新しいロール紙をロール紙収納部に装填する必要があった。この装填作業の間は、投票券発売機の稼働を一旦中断することになるため、投票券を購入しようとしている顧客を待たせることになり、装置稼働率の低下が発生する。また、このロール紙装填作業に不手際があると、この不手際により、さらに長時間顧客を待たせることになり、一層装置稼働率が低下し、サービスの低下を招くことになる。
【０００５】
さらに、用紙切れを速やかに保守員が気づき、装填作業に入れればよいが、装填作業に入らないと、装填作業の開始までの時間も、装置の稼働が停止されることになる。この装填作業の開始までの時間を短縮するには、用紙切れの発生に備えて、あらかじめ用紙を交換する保守員が装置の前で待機している必要がある。
【０００６】
一方、投票券発売機に類似した発券装置にロール紙を２巻装填できるようにし、用紙切れの際には、自動的に新しいロール紙の供給が開始されるように構成し、稼働時間を延長するようにしたものもある。この２巻装填タイプの発券装置は、ロール紙をロール紙収納部に単に差し込むだけのものである。
【０００７】
【発明が解決しようとする課題】
後者の２巻装填タイプの発券装置の場合、前者の１巻装填タイプの発券装置の場合と比べて、１巻装填タイプの発券装置における問題をある程度解決可能である。しかし、従来の２巻装填タイプの発券装置の場合、新たなロール紙に切り替えた場合に、新しいロール紙の給送が正常に開始しないトラブルが多発し、１巻装填タイプの発券装置の場合とは異なる原因で、投票券発売機の稼働が停止し、装置稼働率の低下が発生する場合があった。
【０００８】
本発明は、上記問題を解決するためになされたもので、その課題は、複数巻の装填タイプの発券装置であって、用紙切れで新たなロール紙に切り替えた場合でも、新しいロール紙の給送を正常に開始でき、装置稼働率を確実に向上できる発券装置を実現することにある。
【０００９】
【課題を解決するための手段】
上記課題を解決する請求項１に係る発明は、ロール紙収納部から繰り出された用紙を搬送ローラにより発券処理部に送り込み、切断および印刷を行って、券として発行する発券装置において、複数のロール紙収納部と、各ロール紙収納部と前記搬送ローラとの間にそれぞれ設けられた用紙送出路と、各ロール紙収納部から前記搬送ローラに向けて用紙を送り出すために、各用紙送出路に設けられた送出ローラと、各送出ローラに用紙を押圧した押圧位置と各送出ローラから退避した退避位置とを選択できるように、各用紙送出路に設けられたピンチローラと、前記送出ローラより下流側の各用紙送出路上に設けられ、各用紙送出路を閉じて用紙の通過を規制する規制位置と各用紙送出路を開けて用紙の通過を可能にする開放位置とを選択可能なストッパと、前記ストッパより下流側の各用紙送出路上に設けられた頭出しセンサと、各用紙送出路上に設けられ各用紙送出路の用紙切れを検出する用紙切れセンサと、前記ロール紙収納部への新たなロール紙の装填が検出されると、自動的に該当する用紙送出路上の前記ピンチローラが押圧位置に移動し、該当する用紙送出路上の前記ストッパが開放位置に移動している状態にて、該当する用紙送出路上の前記送出ローラを駆動して、該当する用紙送出路上の前記頭出しセンサが少なくとも用紙先端を検出する位置まで、用紙を送り出すロ−ディング手段と、各用紙送出路上に設けた前記用紙切れセンサから各用紙送出路の状態を把握し、使用中の用紙送出路での用紙切れを検出すると、使用する用紙送出路を用紙切れ状態にない用紙送出路に切り替え、ここから、前記搬送ローラに用紙を送り込ませる送出路切り替え手段と、前記ストッパと前記送出ローラとの間の各用紙送出路上に設けられた先端通過センサと各ロール紙収納部の蓋の開閉を検出するために各ロール紙収納部に設けられた開閉センサとを有し、用紙切れ状態のロール紙収納部へのロール紙の装填の検出は、前記開閉センサが蓋の閉状態移行を検出し、前記先端通過センサが用紙の挿入を検出したことにより行うことを特徴とする発券装置である。
【００１０】
本発明では、複数巻のロール紙を装填でき、用紙切れの際には、自動的に新しいロール紙の供給が開始されるため、稼働時間を延長できる。しかも、用紙切れ後に、ロール紙収納部に新たなロール紙を装填すると、その用紙送出路上の送出ローラが起動し、少なくとも頭出しセンサが用紙先端を検出するまで、用紙を送り出し、ロ−ディング動作を終了する。
【００１１】
このロ−ディング動作を正常に終了できたということは、ロール紙収納部にロール紙を正常に装填でき、正常に給送できたことを意味する。このため、他の用紙送出路において用紙切れが発生し、この装填したロール紙に切り替わった場合にも、このロール紙の送出が正常に開始される。よって、切り替えに伴う給送トラブルは生じず、装置稼働率を確実に向上できる。
【００１２】
請求項１記載の発券装置において、例えばロ−ディング手段としては、新たなロール紙の装填前に、ピンチローラを退避位置に移動させるとともにストッパを規制位置に移動させることができ、しかも、新たなロール紙の装填がなされると、該当する用紙送出路上のピンチローラを押圧位置に移動させるとともに該当する用紙送出路上のストッパを開放位置に移動させ、該当する用紙送出路上の送出ローラを駆動して、該当する用紙送出路上の頭出しセンサが少なくとも用紙先端を検出するまで、用紙を送り出すものを用いることができる。
【００１３】
このようにすれば、ロール紙収納部へのロール紙の装填作業時には、該当する用紙送出路上のピンチローラを退避位置に移動し、ストッパを規制位置に移動できるので、ロール紙の装填作業を容易に行える。また、用紙切れ状態のロール紙収納部へのロール紙の装填がなされると、自動的にロ−ディングが実行されるため、ロ−ディングの開始操作は不要になり、ロール紙の装填作業を一層容易に行える。
【００１４】
請求項１記載の発券装置においては、各用紙送出路上に各用紙送出路の用紙切れを検出する用紙切れセンサを設け、送出路切り替え手段は、各用紙送出路上に設けた用紙切れセンサから各用紙送出路の状態を把握し、使用中の用紙送出路の用紙切れを検出すると、用紙切れ状態にない用紙送出路から、搬送ローラに用紙を送り込ませている。
【００１５】
送出路切り替え手段が必要とする発券処理部への用紙切れの検出信号は、各用紙送出路の合流後の搬送路に用紙切れセンサを設け、ここから得ることが一般的であるが、この発明では、各用紙送出路に配置されている用紙切れセンサの検出信号を兼用している。このため、構成を簡素化できる。
【００１６】
また、請求項１記載の発券装置においては、ストッパと送出ローラとの間の各用紙送出路上に設けられた先端通過センサと、各ロール紙収納部の蓋の開閉を検出するために各ロール紙収納部に設けられた開閉センサとを有し、用紙切れ状態のロール紙収納部へのロール紙の装填の検出を、開閉センサが蓋の閉状態移行を検出し、先端通過センサが用紙の挿入を検出したことにより行っている。
【００１７】
この発明では、装填作業時に、ロール紙の先端が確実にストッパ側まで差し込まれているかを、先端通過センサにより確認できるだけでなく、開閉センサが蓋の閉状態移行を検出し、先端通過センサが用紙の挿入を検出したことにより、自動的にロ−ディングが開始されるので、用紙切れ時のロール紙の装填作業を確実かつ容易に行える。
【００１８】
請求項２に係る発明は、請求項１記載の発券装置において、各用紙送出路に、中間部を中心に回転可能なレバーを並設し、該レバーの一端側にストッパを設け、他端側にピンチローラを回転可能に設けたことを特徴とするものである。
【００１９】
本発明では、レバーの回転により、ストッパとピンチローラとを連動させることができる。このため、ストッパとピンチローラの駆動源を共通にでき、構成を簡素化できる。
【００２０】
【実施の形態】
本発明の実施の形態を投票券発売機を例にとり説明する。図１は本形態例の機械的構成図で、ロール紙を２巻装填できるものを示している。図において、二つのロール紙収納部１００，２００には、ロール紙支持軸１０２，２０２が設けられており、ここに、それぞれ、ロール紙１０１，２０１の紙管１０１ａ，２０１ａが回転可能に挿入されている。
【００２１】
さらに、二つのロール紙収納部１００，２００には、ロール紙１０１，２０１の抜け止め用に、それぞれ、蓋１０３，２０３が、ヒンジ１０４，２０４でもって開閉可能に設けられ、かつ、それぞれの蓋１０３，２０３の近傍位置には、その開閉を検出する開閉センサ１０５，２０５が設けられている。蓋１０３，２０３の開閉は、それぞれ、取っ手１０３ａ，２０３ａによって行う。
【００２２】
ロール紙収納部１００，２００から繰り出された用紙は、後述の第１搬送ローラ３００に送り出されるが、このときに用紙が通る用紙送出路１１０，２１０は、それぞれガイド１１１，２１１により形成されている。この用紙送出路１１０，２１０には、ロール紙収納部１００，２００から第１搬送ローラ３００に向けて用紙を送り出すための送出ローラ１２０，２２０が設けられている。
【００２３】
送出ローラ１２０，２２０は、モータ１２１，２２１にベルト１２２，２２２を介して連結され、回転駆動される。ピンチローラ１２３，２２３は、それぞれ、送出ローラ１２０，２２０に用紙を押圧した押圧位置と、送出ローラ１２０，２２０から退避した退避位置とを選択できるように、用紙送出路１１０，２１０に設けられたものである。
【００２４】
送出ローラ１２０，２２０より下流側の用紙送出路１１０，２１０上には、用紙送出路１１０，２１０を閉じて用紙の通過を規制する規制位置と、用紙送出路１１０，２１０を開けて用紙の通過を可能にする開放位置とを選択可能なストッパ１３０，２３０が設けられている。このストッパ１３０，２３０は、それぞれ、用紙送出路１１０，２１０に並設されたレバー１３２，２３２と一体に形成されている。
【００２５】
このレバー１３２，２３２は、その中間部Ｏ１，Ｏ２を中心に回転可能に配置されており、その他端側には、上記ピンチローラ１２３，２２３が回転可能に取り付けられている。さらに、中間部Ｏ１，Ｏ２には、リンク１３４，２３４が結合され、リンク１３４，２３４の先端部は、ロータリーソレノイド１３５，２３５の駆動アームに、中間リンク１３６，２３６を介して連結されている。このロータリーソレノイド１３５，２３５を駆動することにより、ストッパ１３０，２３０とピンチローラ１２３，２２３とを、連動して所望の位置に移動させることができる。
【００２６】
さらに、このストッパ１３０，２３０より下流側の用紙送出路１１０，２１０上には、頭出しセンサ１４０，２４０が設けられ、この頭出しセンサ１４０，２４０より下流側の用紙送出路１１０，２１０上には、用紙切れを検出する用紙切れセンサ１５０，２５０が設けられている。また、ストッパ１３０，２３０と送出ローラ１２０，２２０との間の用紙送出路１１０，２１０上には、先端通過センサ１６０，２６０が設けられている。
【００２７】
用紙送出路１１０，２１０の合流した後の搬送路３１０は、ガイド３１１により構成されている。第１搬送ローラ３００はこの搬送路３１０の入り口近傍に配置され、第２搬送ローラ３０１はこれより下流側の搬送路３１０上に設けられている。第１，第２搬送ローラ３００，３０１には、ピンチローラ３０２，３０３が常時押圧されている。さらに、第１，第２搬送ローラ３００，３０１の駆動シャフトに設けたプーリ間には、第１，第２搬送ローラ３００，３０１を同期して回転させるために、ベルト３０５が巻き掛けられている。なお、第１，第２搬送ローラ３００，３０１間の搬送路３１０上に設けたセンサ３０６は、これより上流でのジャム発生を検出するためのものである。
【００２８】
ここで、第１，第２搬送ローラ３００，３０１の搬送速度と送出ローラ１２０，２２０の搬送速度とは正確に一致させることが好ましいが、等しく設定できない場合には、送出ローラ１２０，２２０の搬送速度を、第１，第２搬送ローラ３００，３０１の搬送速度よりも若干低く設定し、かつ、第１，第２搬送ローラ３００，３０１による搬送が始まった段階において、用紙が第１，第２搬送ローラ３００，３０１による搬送速度で送出ローラ１２０，２２０部分を通過できるように、送出ローラ１２０，２２０部分に、スリップ機構もしくはワンウエイクラッチを組み込むようにしてもよい。
【００２９】
発券処理部４００は、切断および印刷を行うもので、搬送路３１０に沿って、用紙を切断するカッタ４０１と、切断された用紙（投票券）に対して印字を行うサーマルヘッド４０２が設けられている。カッタ４０１は、搬送路３１０の上側に移動刃を有し、搬送路３１０の下側に固定刃を有したものである。モータ４０５により垂直面上で回転駆動される円板４０６上の偏心位置には、アーム４０７の下端が係止されている。このアーム４０７の上端は、カッタ４０１の移動刃に係止されている。このため、モータ４０５が１回転すると、移動刃が垂直方向に１往復し、用紙を切断することになる。
【００３０】
サーマルヘッド４０２は、Ｏ３を中心に上下に回転するもので、プラテンローラ４１０との間に用紙を挟み印字を行う。搬送モータ４２０の回転出力は、ベルト４２１を介して、プラテンローラ４１０と第２搬送ローラ３０１に伝達され、これらを回転駆動するようになっている。
【００３１】
レバー４３０はサーマルヘッド４０２を昇降させるもので、通常、このレバー４３０は、サーマルヘッド４０２を下降させ、第１，第２搬送ローラ３００，３０１にピンチローラ３０２，３０３を押圧させた図１に示す位置に保たれている。レバー４３０を押下した位置は、ジャム処理の際の紙除去作業時等にとる位置である。サーマルヘッド４０２近傍のセンサ４４０は発券処理部４００での用紙先端を検出するセンサである。
【００３２】
上記各種センサの検出信号等は、図示しない制御部に入力され、この検出信号に基づき、制御部は、上記モータ１２１，２２１，４０５，４２０、ロータリーソレノイド１３５，２３５、サーマルヘッド４０２等を後述の如く駆動制御する。この制御部の概略の動作を図２に示した。
【００３３】
以下、制御部のロ−ディング手段、オートセット手段、送出路切り替え手段、発券手段としての動作を含め、具体的に制御部の動作を説明する。
まず装置にロール紙が全くセットされていない状態で、たとえば上側のロール紙収納部１００に新たなロール紙１０１を装填する場合を想定して、動作を説明する。保守員は、まず、蓋１０３を取っ手１０３ａを掴んで開け、ロール紙収納部１００を開放状態にする。この段階では、用紙切れセンサ１５０が用紙切れを検出している。そこで、制御部は、装填作業を容易にするため、ロータリーソレノイド１３５を駆動して、ピンチローラ１２３を退避位置に移動させるとともにストッパ１３０を規制位置に移動させる。
【００３４】
この状態で、保守員は、ロール紙１０１の先端付近を掴んで用紙送出路１１０の用紙挿入口に用紙を差し込む。この時、ストッパ１３０が用紙送出路１１０を塞いだ状態にあるため、用紙の先端がストッパ１３０に突き当たるまでは差し込める。そこで、保守員はこの位置まで差し込み（差し込みを確認できる表示手段があれば、一層分かりやすい）、用紙から手を離す。次に、蓋１０３を閉める。これにより、開閉センサ１０５は蓋１０３を閉じられたことを検出し、先端通過センサ１６０は用紙先端がストッパ１３０付近まで差し込まれていることを検出する。
【００３５】
ロール紙１０１の装填を監視していた制御部は、上記状態を示す開閉センサ１０５と先端通過センサ１６０の検出信号を受けることで、ロール紙収納部１００へのロール紙１０１の装填がなされたと判断し、ロ−ディング動作に入る。すなわち、ピンチローラ１２３を押圧位置に移動させるとともにストッパ１３０を開放位置に移動させ、送出ローラ１２０を駆動する。そして、少なくとも頭出しセンサ１４０が用紙を検出した位置（ただし、用紙切れセンサ１５０が用紙先端を検出しない位置）まで用紙を送り出し、送出ローラ１２０を一旦停止させる。これで用紙のローディング動作が完了する。
【００３６】
次に、制御部は、搬送路３１０に用紙が無いことをセンサ３０６あるいはセンサ４４０の検出信号から知り、再び、ロール紙１０１が存在する用紙送出路１１０側の送出ローラ１２０を駆動するとともに、第１，第２搬送ローラ３００，３０１も駆動する。これにより、用紙送出路１１０から第１搬送ローラ３００に送り込まれた用紙は、第１，第２搬送ローラ３００，３０１に送られて発券処理部４００に送り込まれる。
【００３７】
この時点での用紙の先端は、新品のロール紙１０１の先端であるため、オートセット動作を行う。ここで、オートセット動作とは、新品のロール紙１０１の先端はきれいに揃って切断されていないため、用紙の先端をカッタ４０１にて切断し、揃っていない部分を切り捨てる動作である。
【００３８】
オートセット動作において、制御部は、搬送モータ４２０を動作させて用紙を搬送させ、用紙の先端をセンサ４４０にまで到達させ、そこからさらに一定長（たとえば投票券３枚分）の長さだけ搬送して搬送モータ４２０を停止させる。一定長（たとえば投票券３枚分）送るのは用紙の先端が斜めに切断されている場合を想定し、この部分の使用を避けるためである。
【００３９】
次に、モータ４０５を一回転させてカッタ４０１を動作させて用紙を切断し、さらに搬送モータ４２０を駆動させて所定長（たとえば投票券１枚分）だけ用紙を搬送する。これにより、用紙の先端はサーマルヘッド４０２から若干（たとえば２ｍｍ）突き出た位置になる。これにより用紙の先端が不揃いの部分は投票券の排出口へ排出される。以上の動作により、用紙の先端は印刷開始位置にある状態となり、いつでも印刷可能な状態（待機状態）となる。このオートセット動作はロール紙を新たに装填したときに、用紙の頭出し動作として必ず１回実行される。これで、発券準備が整ったため、発券動作に移ることができる。
【００４０】
発券は指定の枚数（1 〜複数枚）を連続して印刷することができる。発券は必ず上記の待機状態から開始し、まず、モータ４０５を動作させてカッタ４０１を動作させて用紙を切断する。次に、搬送モータ４２０を起動して用紙（切断により投票券となる部分も含む）の搬送を開始すると同時にサーマルヘッド４０２を駆動させて、用紙（投票券となる部分）の表面に投票情報を印刷する。そして一枚の投票券の大きさ分の印刷終了後、搬送モータ４２０の駆動とサーマルヘッド４０２の印刷動作を停止させて発券動作は完了する。投票券は投票券排出口に排出される。この時点で、未切断の用紙の先端は印刷開始時と同位置に来ており待機状態にあるため、すぐに次の発券動作を開始できる。
【００４１】
この待機中に、もう一方のロール紙収納部２００にロール紙２０１を装填すると、ロール紙１０１の場合と全く同様に、ロ−ディング動作が実行される。しかし、ロ−ディング動作を完了した後は、用紙送出路１１０側で用紙切れが発生するまで、何の動きもない。図１に示す状態が、この状態であり、発券指示待ちの状態である。
【００４２】
発券の待機中だけではなく、発券の稼働中であっても、ロール紙収納部２００にロール紙２０１を装填でき、装填すると、ロール紙１０１の場合と全く同様に、ロ−ディング動作が実行される。このとき、ロ−ディング動作と発券動作とが干渉すると、発券動作に遅れが生じることになるが、ロ−ディング動作を並行して実行できるように構成することで、この問題は容易に解決できる。
【００４３】
図１に示す状態で発券を繰り返すことで、用紙の残量がほとんど無くなり、用紙切れセンサ１５０が用紙切れを検出すると、制御部は、用紙送出路を、用紙送出路１１０から用紙切れ状態にない用紙送出路２１０に切り替え、ここから第１搬送ローラ３００に用紙を送り込ませ、上記オートセット動作を行う。これにより、速やかに発券準備が整い、発券動作を円滑に継続できる。
【００４４】
なお、第１搬送ローラ３００には、切り替え前の用紙の後端が通過した後に、切り替え後の用紙の後端が進入するよに設定されており、このオートセット動作中の第１，第２搬送ローラ３００，３０１やプラテンローラ４１０の回転により、切り替え前の用紙の後端片（残券）は、投票券排出口に排出される（残券の排出を完了後に、オートセット動作を開始するようにしてもよい）。
【００４５】
このように、本形態例では、２巻のロール紙を装填でき、たとえば用紙送出路１１０のロール紙１０１の用紙切れの際には、自動的に新しいロール紙２０１の供給が開始されるため、稼働時間を延長できる。しかも、用紙切れ後に、ロール紙収納部１００に新たなロール紙１０１を装填すると、その用紙送出路１１０上の送出ローラ１２０が起動し、少なくとも頭出しセンサ１４０が用紙先端を検出するまで、用紙を送り出し、ロ−ディング動作を終了する。
【００４６】
このロ−ディング動作を正常に終了できたということは、ロール紙収納部１００，２００にロール紙を正常に装填でき、正常に給送できたことを意味する。このため、他の用紙送出路１１０，２１０において用紙切れが発生し、この装填したロール紙１０１，２０１に切り替わった場合にも、このロール紙１０１，２０１の送出が正常に開始される。よって、切り替えに伴う給送トラブルは生じず、装置稼働率を確実に向上できる。
【００４７】
さらに、本形態例では、ロール紙収納部１００，２００へのロール紙１０１，２０１の装填作業時には、該当する用紙送出路１１０，２１０上のピンチローラ１２３，２２３が退避位置に移動し、ストッパ１３０，２３０が規制位置に移動しているので、ロール紙１０１，２０１の装填作業を容易に行える。また、用紙切れ状態のロール紙収納部１００，２００へのロール紙１０１，２０１の装填がなされると、自動的にロ−ディングが実行されるため、ロ−ディングの開始操作は不要になり、ロール紙の装填作業を容易に行える。
【００４８】
また、送出路切り替え手段が必要とする発券処理部４００への用紙切れの検出信号は、搬送路３１０に用紙切れセンサを設けることが一般的であるが、本形態例では、用紙送出路１１０，２１０に配置されている用紙切れセンサ１５０，２５０の検出信号を兼用しているため、構成を簡素化できる。
【００４９】
装填作業時において、先端通過センサ１６０，２６０により、ロール紙１０１，２０１の先端が確実にストッパ１３０，２３０側まで差し込まれているかを、確認できるだけでなく、開閉センサ１０５，２０５が蓋１０３，２０３の閉状態移行を検出し、先端通過センサ１６０，２６０が用紙の挿入を検出したことにより、自動的にロ−ディングが開始されるので、用紙切れ時のロール紙１０１，２０１の装填作業を確実かつ容易に行える。
【００５０】
さらに、リンク１３４，２３４の回転により、ストッパ１３０，２３０とピンチローラ１２３，２２３とを連動させることができるため、ストッパ１３０，２３０とピンチローラ１２３，２２３の駆動源をロータリーソレノイド１３５，２３５に共通化でき、構成を簡素化できる。
【００５１】
なお、本発明は上記形態例の構成に限られるものではない。たとえば、次のような変形も可能である。
▲１▼ロール紙１０１，２０１の装填の検出を蓋１０３，２０３の閉動作ではなく、ロール紙収納部１００，２００へのロール紙１０１，２０１の挿入を直接センサで検出する。
▲２▼蓋１０３，２０３を一体に設ける。
▲３▼駆動源であるロータリーソレノイド１３５，２３５を設けずに、ストッパ１３０，２３０やピンチローラ１２３，２２３を手動で動かす。
▲４▼用紙切れセンサ１５０，２５０は、用紙送出路１１０，２１０上であればよく、上記形態例の位置に限らない。
▲５▼上記形態例では、搬送ローラとして、第１，第２搬送ローラ３００，３０１を設けたが、搬送ローラとして第１搬送ローラ３００だけを設けるようにしてもよい。
▲６▼上記形態例では感熱記録方式で印刷したが、どのような印刷方式を用いてもよい。
▲７▼ロール紙収納部を３以上設ける。この場合、切り替えの優先順序を予め定めておく。
【００５２】
【発明の効果】
以上説明したように、請求項１記載の発明によれば、複数巻のロール紙を装填でき、用紙切れの際には、自動的に新しいロール紙の供給が開始されるため、稼働時間を延長できる。しかも、用紙切れ後に、ロール紙収納部に新たなロール紙を装填すると、その用紙送出路上の送出ローラが起動し、少なくとも頭出しセンサが用紙先端を検出するまで、用紙を送り出し、ロ−ディング動作を終了する。
【００５３】
このロ−ディング動作を正常に終了できたということは、ロール紙収納部にロール紙を正常に装填でき、正常に給送できたことを意味する。このため、他の用紙送出路において用紙切れが発生し、この装填したロール紙に切り替わった場合にも、このロール紙の送出が正常に開始される。よって、切り替えに伴う給送トラブルは生じず、装置稼働率を確実に向上できる。
【００５５】
また、請求項１に係る発明によれば、送出路切り替え手段が必要とする発券処理部への用紙切れの検出信号を、各用紙送出路に配置されている用紙切れセンサの検出信号で兼用しているため、構成を簡素化できる。
【００５６】
さらに、請求項１に係る発明によれば、装填作業時に、ロール紙の先端が確実にストッパ側まで差し込まれているかを、先端通過センサにより確認できるだけでなく、開閉センサが蓋の閉状態移行を検出し、先端通過センサが用紙の挿入を検出したことにより、自動的にロ−ディングが開始されるので、用紙切れ時のロール紙の装填作業を確実かつ容易に行える。
【００５７】
請求項２に係る発明によれば、レバーの回転により、ストッパとピンチローラとを連動させることができるため、ストッパとピンチローラの駆動源を共通にでき、構成を簡素化できる。
【図面の簡単な説明】
【図１】本発明の実施の形態例の機械的構成図である。
【図２】制御部の動作を示すフローチャートである。
【符号の説明】
１００，２００   ロール紙収納部
１０１，２０１   ロール紙
１０３，２０３   蓋
１０５，２０５   開閉センサ
１１０，２１０   用紙送出路
１２０，２２０   送出ローラ
１２１，２２１   モータ
１２３，２２３   ピンチローラ
１３０，２３０   ストッパ
１３２，２３２   レバー
１３４，２３４   リンク
１３５，２３５   ロータリーソレノイド
１３６，２３６   中間リンク
１４０，２４０   頭出しセンサ
１５０，２５０   用紙切れセンサ
１６０，２６０   先端通過センサ
３００         第１搬送ローラ
３０１         第２搬送ローラ
３０２，３０３   ピンチローラ
３１０         搬送路
３１１         ガイド
４００         発券処理部
４０１         カッタ
４０２         サーマルヘッド
４１０         プラテンローラ
４２０         搬送モータ
４４０         センサ
【図１】
0004842462.tif 000002
【図２】
0004842462.tif 000003